(57)【特許請求の範囲】
【請求項１】
冷凍機用圧縮機のインバータ制御において、吸入圧力にＨＩＧＨとＬＯＷの設定値を設け、当該ＨＩＧＨ以上で容量増加、当該ＬＯＷ以下で容量減少、ＨＩＧＨ―ＬＯＷの中間は容量を変化させないゾーン制御で、
前記ＨＩＧＨのｍ倍、ｍ’倍でＨＩＧＨ―１、ＨＩＧＨ―２、前記ＬＯＷのｎ倍でＬＯＷ―１の圧力ゾーンを設け、各ゾーンで容量の増加及び減少のスピードを変化させると共に、
前記設定値をゲージ圧から絶対圧に換算し、当該絶対圧にｍ倍、ｎ倍を乗じ、更にその値をゲージ圧に戻した値にて制御を行うことを特徴とする冷凍機の制御装置。
【請求項２】
冷凍機用圧縮機のインバータ制御において、吸入圧力にＨＩＧＨとＬＯＷの設定値を設け、当該ＨＩＧＨ以上で容量増加、当該ＬＯＷ以下で容量減少、ＨＩＧＨ―ＬＯＷの中間は容量を変化させないゾーン制御で、
前記ＨＩＧＨのｍ倍、ｍ’倍でＨＩＧＨ―１、ＨＩＧＨ―２、前記ＬＯＷのｎ倍でＬＯＷ―１の圧カゾーンを設け、各ゾーンで容量の増加及び減少のスピードを変化させると共に、
前記設定値をゲージ圧から絶対圧に換算し、当該絶対圧にｍ倍、ｎ倍を乗じ、更にその値をゲージ圧に戻した値にて制御を行い、
更に使用用途による圧力値で冷凍、冷蔵の場合、各々の倍率を変化させることを特徴とする冷凍機の制御装置。
【請求項３】
冷凍機用圧縮機のインバ―タ制御において、吸入圧力にＨＩＧＨとＬＯＷの設定値を設け、当該ＨＩＧＨ以上で容量増加、当該ＬＯＷ以下で容量減少、ＨＩＧＨ―ＬＯＷの中間は容量を変化させないゾ―ン制御で、
前記ＨＩＧＨのｍ倍、ｍ’倍でＨＩＧＨ―１、ＨＩＧＨ―２、前記ＬＯＷのｎ倍でＬＯＷ―１の圧力ゾ―ンを設け、各ゾ―ンで容量の増加及び減少のスピ―ドを変化させると共に、
前記設定値をゲージ圧から絶対圧に換算し、当該絶対圧にｍ倍、ｎ倍を乗じ、更にその値をゲージ圧に戻した値にて制御を行い、
更に運転モ―ドに通常運転モ―ドと省エネ運転モ―ドを設定し、省エネ運転モ―ドは時は、前記ＨＩＧＨ以上領域での増加スピ―ドを遅く、前記ＬＯＷ以下領域では、減少スピ―ドを早く制御することを特徴とする冷凍機の制御装置。
【発明の詳細な説明】
【０００１】
【発明の属する技術分野】
本発明は、冷凍機の容量制御装置に関する。
【０００２】
【従来の技術】
冷凍サイクルの制御装置に関する従来の冷凍機の容量制御をゾーン制御にて行う場合、使用冷媒がＲ５０２の場合負圧側の設定は必要無く、ゾーンの倍率計算は、ゲージ圧（大気圧＝０）基準にて算出しているものがある。
【０００３】
【発明が解決しようとする課題】
しかし、使用冷媒がＲ２２等となった場合負圧側の設定が必要となるが、その場合大気圧基準では負圧側の算出ができず、負圧側を含む設定では適正値となっていなかった。
【０００４】
この発明は、設定を適正にできる冷凍機の制御装置を提供するものである。
【０００５】
【課題を解決するための手段】
冷凍機用圧縮機のインバータ制御において、吸入圧力にＨＩＧＨとＬＯＷの設定値を設け、当該ＨＩＧＨ以上で容量増加、当該ＬＯＷ以下で容量減少、ＨＩＧＨ―ＬＯＷの中間は容量を変化させないゾーン制御で、前記ＨＩＧＨのｍ倍、ｍ’倍でＨＩＧＨ―１、ＨＩＧＨ―２、前記ＬＯＷのｎ倍でＬＯＷ―１の圧力ゾーンを設け、各ゾーンで容量の増加及び減少のスピードを変化させると共に、前記設定値をゲージ圧から絶対圧に換算し、当該絶対圧にｍ倍、ｎ倍を乗じ、更にその値をゲージ圧に戻した値にて制御を行うように構成したものである。
【０００６】
冷凍機用圧縮機のインバータ制御において、吸入圧力にＨＩＧＨとＬＯＷの設定値を設け、当該ＨＩＧＨ以上で容量増加、当該ＬＯＷ以下で容量減少、ＨＩＧＨ―ＬＯＷの中間は容量を変化させないゾーン制御で、前記ＨＩＧＨのｍ倍、ｍ’倍でＨＩＧＨ―１、ＨＩＧＨ―２、前記ＬＯＷのｎ倍でＬＯＷ―１の圧カゾーンを設け、各ゾーンで容量の増加及び減少のスピードを変化させると共に、前記設定値をゲージ圧から絶対圧に換算し、当該絶対圧にｍ倍、ｎ倍を乗じ、更にその値をゲージ圧に戻した値にて制御を行い、更に使用用途による圧力値で冷凍、冷蔵の場合、各々の倍率を変化させるように構成したものである。
【０００７】
冷凍機用圧縮機のインバ―タ制御において、吸入圧力にＨＩＧＨとＬＯＷの設定値を設け、当該ＨＩＧＨ以上で容量増加、当該ＬＯＷ以下で容量減少、ＨＩＧＨ―ＬＯＷの中間は容量を変化させないゾ―ン制御で、前記ＨＩＧＨのｍ倍、ｍ’倍でＨＩＧＨ―１、ＨＩＧＨ―２、前記ＬＯＷのｎ倍でＬＯＷ―１の圧力ゾ―ンを設け、各ゾ―ンで容量の増加及び減少のスピ―ドを変化させると共に、前記設定値をゲージ圧から絶対圧に換算し、当該絶対圧にｍ倍、ｎ倍を乗じ、更にその値をゲージ圧に戻した値にて制御を行い、更に運転モ―ドに通常運転モ―ドと省エネ運転モ―ドを設定し、省エネ運転モ―ドは時は、前記ＨＩＧＨ以上領域での増加スピ―ドを遅く、前記ＬＯＷ以下領域では、減少スピ―ドを早く制御するように構成したものである。
【０００８】
【発明の実施の形態】
圧縮機の容量制御を吸入圧力値のゾーン制御で行う例として、インバータ制御する場合で説明する。以下、図面に基づいて説明する。
ゾーン制御の場合、図１のように吸入圧力（目標値）からＨＩＧＨとＬ０Ｗ値を設定する。制御は、ＨｌＧＨ値以上の場合、インバータの周波数増加（周波数ＵＰ）、Ｌ０Ｗ値以下の場合、周波数減少（周波数ＤＯＷＮ）、ＨｌＧＨとＬ０Ｗの中間の場合、周波数変化なしとして吸入圧力がＨｌＧＨとＬ０Ｗの中間に入る様、周波数制御を行う。
又、ＨｌＧｈとＬ０Ｗの設定値に定数（倍率）を乗ずることにより別のゾーンＨＩＧＨ−１、−２、Ｌ０Ｗ‐１を算出し、各圧力ゾーンＡ〜Ｇを設定して周波数（０、２０〜８０Ｈｚ）の変化スピードを変える。
又、運転モードとして省エネ運転モードと高鮮度運転モードを選択できるようにし周波数変化スピードを変更する。
【０００９】
動作は高鮮度時、図２のようにゾーン判定後Ｃの領域では、周波数変化スピードを２秒／１Ｈｚ増加（ＵＰ）では、１秒／１Ｈｚ増加（ＵＰ）のように変化させ、吸入圧力が目標値より大きく外れる程、変化スピードを早くする。省エネ運転モードの場合は、変化スピードを若干遅らせる事により、吸入圧力を高めにし圧縮機の効率増加により、Ｃ０Ｐ向上を図る。（温度調節精度は、若干落ちる）従来、圧力ゾーンの計算方法としては、ゲージ圧（大気圧＝０）を基準として定数を乗じて算出していた。（図３、４）この方法は、圧力設定をシビアに行うものであり、１ｋｇ／ｃｍ2以下で細かい設定となり、圧力値が高くなる程、値の差が大きくなるという特性となり、冷凍機の制御には適していた。しかし、使用冷媒の変更により、圧力設定値が負圧側となる場合、同計算式では算出できなくなり、不具合が生ずる。また、別の方法として、全ての圧力で一定の圧力値を十、−しシフトする方法もるが、冷凍機の制御には、あまり適していない。
【００１０】
本発明は、ゾーン圧力値をゲージ圧から絶対圧（ａｂｓ）に換算し、絶対圧に定数を乗じ、更にその値をゲージ圧に戻した値にて決定する。これによって負圧側での設定値〜圧力の高い領域まで全て同一の計算式によって算出できると共に、冷凍機の制御適した値とすることができる。（図５、６）
又、冷凍機の使用用途による圧力値で冷凍領域、冷蔵領域それぞれの場合、負圧に近い冷凍領域では、設定値のｍ倍ｎ倍の倍率を大きくし、圧力の高い冷蔵領域小さくする。（図７）
更に、各用途に因って倍率を変更する事により、各々より適正な制御値とすることができる。具体的には、圧力２ｋｇ／ｃｍ2にて冷凍、冷蔵、各々の倍率を変更する。これにより、各々の領域で冷凍機制御に適した倍率を設定することができる。
【００１１】
【発明の効果】
以上説明したように、請求項１に記載のものでは、ゾーン制御における倍率計算を設定値の絶対圧力値で算出し、更にその値をゲージ圧に戻した値にて決定するように構成したので、負圧から正圧までの領域において同一計算式で算出できると共に、設定値を冷凍機の制御に適した値とすることができる。
【００１２】
また、請求項２に記載のものでは、冷凍機の使用用途による圧力値で冷凍領域、冷蔵領域それぞれの場合、負圧に近い冷凍領域では、設定値のｍ倍ｎ倍の倍率を大きくし、圧力の高い冷蔵領域では倍率を小さくするように構成したので、冷凍、冷蔵の使用用途によって倍率を変えることにより、各々適正の容量制御とすることができる。
【００１３】
更に、請求項３に記載のものでは、ゾーン制御に運転モードを設定し、通常運転モードと省エネ運転モードを設け、各運転モードで周波数の増加／減少スピードを変更するように構成したので、省エネ運転モード時は、周波数増加スピードが遅く、周波数減少スピードが速くなるため、吸入圧力を高めにすることによる圧縮機の効率増加により、冷凍機のＣＯＰを向上させ省エネ運転をすることができる。
【図面の簡単な説明】
【図１】本発明の圧力ゾーンと周波数変化速度との関係を示す図である。
【図２】本発明の制御動作を示すフローチャートである。
【図３】従来の圧力ゾーンの計算方法を示す図である。
【図４】従来の圧力ゾーンの計算方法を線図として示す図である。
【図５】本発明の圧力ゾーンの計算方法を示す図である。
【図６】本発明の圧力ゾーンの計算方法を線図として示す図である。
【図７】本発明における設定値を変えた状態の制御を線図として示す図である。
【図１】
0003902378.tif 000002
【図２】
0003902378.tif 000003
【図３】
0003902378.tif 000004
【図４】
0003902378.tif 000005
【図５】
0003902378.tif 000006
【図６】
0003902378.tif 000007
【図７】
0003902378.tif 000008